(57)【要約】【課題】既存の無線電話機能付きのアダプタを有効に利用することができ、更に省エネルギー効率に優れると共に、快適な環境を創出することができ、かつ安価なＧＨＰ遠隔監視システムを提供すること。【解決手段】室外機と室内機とを有するガスエンジンヒートポンプ型空調装置（以下ＧＨＰという）を遠隔監視するためのＧＨＰ遠隔監視システム１。ＧＨＰ遠隔監視システム１はアダプタ２と監視用コンピュータ３と監視ユニット４とを備える。アダプタ２は、運転データ採取手段と第１運転データ送信手段と指示データ受信手段と指示手段とを有する。監視ユニット４は、人検知センサ又６１は／及び室温センサ６２と検知データ引渡し手段とを有する。監視用コンピュータ３は、第１運転データ受信手段と検知データ受取り手段と指示データ作成手段と指示データ送信手段とを有している。【選択図】図１
2006336903.tif 000002
【特許請求の範囲】
【請求項１】
室外機と室内機とを有するガスエンジンヒートポンプ型空調装置（以下ＧＨＰという）を遠隔監視するためのＧＨＰ遠隔監視システムであって、
上記室外機に接続されるアダプタと、該アダプタと無線電話回線を介して通信可能な監視用コンピュータと、該監視用コンピュータと無線電話回線を介して通信可能な監視ユニットとを備え、
上記アダプタは、上記室外機から運転データを採取する運転データ採取手段と、採取した上記運転データを上記監視用コンピュータに送信する第１運転データ送信手段と、上記監視用コンピュータから上記ＧＨＰに対する指示データを受信する指示データ受信手段と、受信した上記指示データを上記室外機に伝える指示手段とを有しており、
上記監視ユニットは、上記室内機が配設された室内に人がいるかいないかを検知する人検知センサ又は／及び上記室内の温度を検知する室温センサと、上記人検知センサ又は／及び上記室温センサが検知した検知データを上記監視用コンピュータに送信する検知データ引渡し手段とを有しており、
上記監視用コンピュータは、上記アダプタから送信される上記運転データを受信する第１運転データ受信手段と、上記監視ユニットから送信される上記検知データを受信する検知データ受取り手段とを有すると共に、少なくとも上記運転データ及び上記検知データに基づいて上記指示データを作成する指示データ作成手段と、上記指示データを上記アダプタに送信する指示データ送信手段とを有していることを特徴とするＧＨＰ遠隔監視システム。
【請求項２】
請求項１において、上記監視ユニットと上記アダプタとは、有線又は無線通信手段を介して接続可能であり、上記アダプタは上記運転データを上記監視ユニットに送信する運転データ引渡し手段を有し、上記監視ユニットは上記アダプタから送信される上記運転データを受信する運転データ受取り手段と、上記運転データを上記監視用コンピュータに送信する第２運転データ送信手段とを有し、上記監視用コンピュータは上記監視ユニットから送信される上記運転データを受信する第２運転データ受信手段を有することを特徴とするＧＨＰ遠隔監視システム。
【請求項３】
請求項１又は２において、上記監視ユニットは、上記アダプタに接続されていない別の空調機（以下、空調機という）に接続されると共に、該空調機から送信されるアナログ信号又は／及びデジタル信号からなる運転情報を採取する運転情報採取手段と、採取した上記運転情報を上記監視用コンピュータに送信する運転情報送信手段とを有し、上記監視用コンピュータは、上記監視ユニットから送信される上記運転情報を受信する運転情報受信手段を有していることを特徴とするＧＨＰ遠隔監視システム。
【発明の詳細な説明】
【技術分野】
【０００１】
本発明は、室外機と室内機とを有するガスエンジンヒートポンプ型空調装置を遠隔監視するために配設されるＧＨＰ遠隔監視装置に関する。
【背景技術】
【０００２】
従来より、図６に示すごとく、室外機９２１と室内機９２２とを有するガスエンジンヒートポンプ型空調装置（以下ＧＨＰという）を、遠隔地に配置した監視用コンピュータ９３により遠隔監視するために用いる無線電話機能つきのアダプタ９が提案されている（特許文献１参照）。
上記アダプタ９は、同図に示すごとく、上記室外機９２１に接続されるアダプタ本体９２と、該アダプタ本体９２に接続されていると共に外部の監視用コンピュータ９３と無線電話回線９４を介して接続される無線電話端末９１とを有する。
【０００３】
上記アダプタ９は、上記アダプタ本体９２と無線電話端末９１とを有するため、有線の電話回線を接続する必要がなく、上記アダプタ９の設置コストを低減することができる。また、上記アダプタ９は、運転情報送信手段により最新の運転情報を送ることができるため、上記室内機９２２の運転状況の傾向を容易に把握することができる。
【０００４】
しかしながら、上記アダプタ９を用いた遠隔監視システムには限界があり、更に制御精度を高めるための機能を追加することが困難である。例えば、無駄なエネルギー消費や、設定温度と実際の温度との差が大きすぎることにより室内にいる人が不快になってしまうという不具合を防ぐために新たにセンサ機能を設けようとすると、アダプタそのものを新たなタイプに取り替える、或いは改造することが必要となる。そして、取り替える場合には、無線電話機能を有する優れた既存のアダプタが無駄になってしまう。
【０００５】
【特許文献１】特開２００３−００４２８１号公報
【発明の開示】
【発明が解決しようとする課題】
【０００６】
本発明は、かかる従来の問題点に鑑みてなされたもので、既存の無線電話機能付きのアダプタを有効に利用することができ、更に省エネルギー効率に優れると共に、快適な環境を創出することができ、かつ安価なＧＨＰ遠隔監視システムを提供しようとするものである。
【課題を解決するための手段】
【０００７】
本発明は、室外機と室内機とを有するガスエンジンヒートポンプ型空調装置（以下ＧＨＰという）を遠隔監視するためのＧＨＰ遠隔監視システムであって、
上記室外機に接続されるアダプタと、該アダプタと無線電話回線を介して通信可能な監視用コンピュータと、該監視用コンピュータと無線電話回線を介して通信可能な監視ユニットとを備え、
上記アダプタは、上記室外機から運転データを採取する運転データ採取手段と、採取した上記運転データを上記監視用コンピュータに送信する第１運転データ送信手段と、上記監視用コンピュータから上記ＧＨＰに対する指示データを受信する指示データ受信手段と、受信した上記指示データを上記室外機に伝える指示手段とを有しており、
上記監視ユニットは、上記室内機が配設された室内に人がいるかいないかを検知する人検知センサ又は／及び上記室内の温度を検知する室温センサと、上記人検知センサ又は／及び上記室温センサが検知した検知データを上記監視用コンピュータに送信する検知データ引渡し手段とを有しており、
上記監視用コンピュータは、上記アダプタから送信される上記運転データを受信する第１運転データ受信手段と、上記監視ユニットから送信される上記検知データを受信する検知データ受取り手段とを有すると共に、少なくとも上記運転データ及び上記検知データに基づいて上記指示データを作成する指示データ作成手段と、上記指示データを上記アダプタに送信する指示データ送信手段とを有していることを特徴とするＧＨＰ遠隔監視システムにある（請求項１）。
【０００８】
本発明のＧＨＰ遠隔監視システムは、上記のごとく、上記アダプタと上記監視用コンピュータだけでなく、上記監視ユニットを追加して構成してある。そして、上記監視ユニットは上記人検知センサ又は／及び上記室温センサを備えている。これにより、例えば、アダプタと監視用コンピュータのみで構成されるＧＨＰ遠隔監視システムが存在している場合に、上記監視ユニットを追加するだけで、上記の新たなセンシング機能を備えることができ、上記ＧＨＰの制御精度の向上を図ることができる。また、新たにＧＨＰ遠隔監視システムを導入する場合でも、上記アダプタとしては従来と同様の比較的安価な簡易なものを採用して基本システムを組み、オプションとして本発明のように上記監視ユニットを組み込むことができる。そのため、必要に応じて、本発明のシステムを採用することができ、非常に合理的である。
【０００９】
そして、上記監視ユニットは、上記人検知センサ又は／及び上記室温センサを有する。
上記監視ユニットが上記人検知センサを有する場合は、上記人検知センサを配設した室内に人がいるかいないかを検知することができる。この場合には、上記監視用コンピュータは、上記無線電話回線を介して上記検知データ引渡し手段によって送られてきた検知データに基づいて、例えば、上記ＧＨＰの起動若しくは停止、又は上記室内機の設定温度の調整といった上記指示データを作成することができる。
【００１０】
また、上記室温センサを有する場合は、室内の任意の場所において測定した室温を上記室内機の設定温度に反映させることができる。即ち、上記室温センサによって検知した上記検知データを、上記検知データ引渡し手段により、上記監視ユニットから上記監視用コンピュータに送信することができる。そのため、上記監視用コンピュータの上記指示データ作成手段実行時には、上記アダプタから受け取った上記運転データからだけではなく、上記検知データを考慮に入れて最適な指示データを作成することができる。
【００１１】
それ故、上記監視ユニットが上記人検知センサ又は上記室温センサのいずれかを具備している場合には、上記の最適な指示データを上記アダプタを介して受理した上記室外機及びこれに接続された上記室内機は、上記最適な指示データに従った最適な運転制御又は温度制御を行うことができる。そのため、不必要な運転や室内が充分に冷却されているにもかかわらず設定温度が低くなっている等の無駄な消費エネルギーを防ぐことができる。
それ故、上記ＧＨＰの省エネルギー効率を向上させることができる。
【００１２】
また、上記のごとく、上記監視ユニットに上記人検知データ又は／及び上記室温センサを設けてあるので、上記アダプタに新たに上記人検知センサ又は／及び上記室温センサを設ける必要がない。即ち、仮に、既存のアダプタに新たに上記人検知センサ又は／及び上記室温センサを設ける場合には、非常に手間とコストがかかってしまう。これに対して、上述のごとく、上記監視ユニットに上記の２つのセンサを設けることにより、上記アダプタには、上記ＧＨＰに対する機能として上記室外機からのデータの収集と上記室外機への指示データの伝達機能に専念させることができる。そのため、その構造をシンプルにすることができ、また、安価に上記ＧＨＰ遠隔監視システムを構築することができる。
【００１３】
また、上記監視用コンピュータにおける上記指示データ作成手段は、上記第１運転データ受信手段によって上記アダプタから採取した上記運転データと、上記検知データ受取り手段によって上記監視ユニットから採取した上記検知データとに基づいて上記指示データを作成する。それ故、実際の運転状況と指示した運転状況との相違点に基づいて上記指示データを適宜更新していくことができるため、快適な環境を創出することができる。
【００１４】
また、上記アダプタ及び上記監視ユニットは、いずれも上記無線電話回線を介して上記監視用コンピュータと通信可能となっている。そのため、上記アダプタ及び上記監視ユニットには、有線の電話回線を接続する必要がなく、上記ＧＨＰ遠隔監視システムの設置コストを低減することができる。
【００１５】
以上のごとく、本発明によれば、既存の無線電話機能付きのアダプタを有効に利用することができ、更に省エネルギー効率に優れると共に、快適な環境を創出することができ、かつ安価なＧＨＰ遠隔監視システムを提供することができる。
【発明を実施するための最良の形態】
【００１６】
本発明においては、上記アダプタにより、例えば、ガス消費量、冷却水温、エンジン回転数、上記室外機の運転時間、及び設定温度等を上記室外機の運転データとして収集することができる。
また、上記ＧＨＰ室外機より得られる上記運転データ、及び上記人検知センサ又は上記室温センサより得られる上記検知データの収集間隔としては、例えば、１分、５分、１０分、３０分、６０分等、種々の設定をすることができる。
【００１７】
また、上記ＧＨＰ遠隔監視システムには、上記アダプタ及び上記監視ユニットをそれぞれ１台ずつ設けてもよいし、複数台設けて親子接続することも可能である。更に、上記アダプタには、上記ＧＨＰをそれぞれ１台ずつ設けてもよいし、複数台設けて接続することも可能である。
上記無線電話回線として、例えば、ＮＴＴドコモ社のパケット通信サービス「ＤｏＰａ（商品名）」を利用し、ルータ及び専用線（ＩＳＤＮ）及び社内ＬＡＮを介して上記監視用コンピュータに接続することができる。
【００１８】
また、上記監視ユニットと上記アダプタとは、有線又は無線通信手段を介して接続可能であり、上記アダプタは上記運転データを上記監視ユニットに送信する運転データ引渡し手段を有し、上記監視ユニットは上記アダプタから送信される上記運転データを受信する運転データ受取り手段と、上記運転データを上記監視用コンピュータに送信する第２運転データ送信手段とを有し、上記監視用コンピュータは上記監視ユニットから送信される上記運転データを受信する第２運転データ受信手段を有することが好ましい（請求項２）。
【００１９】
上記アダプタと上記監視ユニットとは、有線又は無線通信手段を介して接続可能となっており、上記アダプタは上記運転データ引渡し手段を有し、上記監視ユニットは上記運転データ受取り手段を有している。そのため、上記運転データを、上記アダプタから上記監視ユニットへと容易に送信することができる。更に、上記監視ユニットは上記第２運転データ送信手段を有し、上記監視用コンピュータは上記第２運転データ受信手段を有しているため、上記監視用コンピュータに最新の上記運転データを迅速に送信することができる。そのため、例えば、上記アダプタ内のデータ記憶用メモリの容量の制限等によって、上記アダプタの運転データ採取手段のみでは運転データの種類、採取頻度等が不足する場合に、その不足状態を上記監視ユニットの存在によって解消することができる。それ故、ＧＨＰの運転状況をより一層容易かつ迅速に把握することができるため、ＧＨＰの制御精度の向上を図ることができる。
【００２０】
また、上記監視ユニットは、上記アダプタに接続されていない別の空調機（以下、空調機という）に接続されると共に、該空調機から送信されるアナログ信号又は／及びデジタル信号からなる運転情報を採取する運転情報採取手段と、採取した上記運転情報を上記監視用コンピュータに送信する運転情報送信手段とを有し、上記監視用コンピュータは、上記監視ユニットから送信される上記運転情報を受信する運転情報受信手段を有していることが好ましい（請求項３）。
【００２１】
この場合には、上記アダプタに接続されてないＧＨＰだけではなく、アナログ信号又はデジタル信号のうち、少なくともいずれか一方の信号を発信することができるＧＨＰ以外の空調機についても、上記監視ユニットを介して上記運転情報を入手することができる。そして、上記無線電話回線を介して、上記運転情報を上記監視ユニットから上記監視用コンピュータへと送信することができる。そのため、ＧＨＰに限定されることなく種々の空調機をも監視することができ、空調システム全体の省エネルギー効率をも向上させることができる。
【実施例】
【００２２】
（実施例１）
本発明の実施例にかかるＧＨＰ遠隔監視システムにつき、図１〜図４を用いて説明する。
本例のＧＨＰ遠隔監視システム１は、図１、図２に示すごとく、室外機２１０と室内機２２０とを有するＧＨＰ２００を遠隔監視するためのＧＨＰ遠隔監視システム１である。
【００２３】
上記ＧＨＰ遠隔監視システム１は、図１に示すごとく、室外機２１０に接続されるアダプタ２と、該アダプタ２と無線電話回線５を介して通信可能な監視用コンピュータ３と、該監視用コンピュータ３と無線電話回線５を介して通信可能な監視ユニット４とを備えている。
【００２４】
また、アダプタ２は、図２に示すごとく、室外機２１０から運転データを採取する運転データ採取手段Ｓ２０１と、採取した運転データを監視用コンピュータ３に送信する第１運転データ送信手段Ｓ２０２とを有する。また、アダプタ２は、監視用コンピュータ３からＧＨＰ２００に対する指示データを受信する指示データ受信手段Ｓ２０３と、受信した指示データを室外機２１０に伝える指示手段Ｓ２０４とを有している。
【００２５】
また、監視ユニット４は、図２、図４に示すごとく、室内機２２０が配設された室内２２１に人がいるかいないかを検知する人検知センサ６１及び室内２２１の温度を検知する室温センサ６２を有する。また、人検知センサ６１及び室温センサ６２が検知した検知データを監視用コンピュータ３に送信する検知データ引渡し手段Ｓ４０１を有している。
【００２６】
また、監視用コンピュータ３は、図３に示すごとく、アダプタ２から送信される運転データを受信する第１運転データ受信手段Ｓ３０１と、監視ユニット４から送信される検知データを受信する検知データ受取り手段Ｓ３０２とを有する。また、運転データ及び検知データに基づいて指示データを作成する指示データ作成手段Ｓ３０３と、指示データをアダプタ２に送信する指示データ送信手段Ｓ３０４とを有している。
【００２７】
また、本例においては、監視ユニット４とアダプタ２とは、図１、図２、図４に示すごとく、有線通信手段２９を介して接続されている。
そして、アダプタ２は、図２に示すごとく、運転データを監視ユニット４に送信する運転データ引渡し手段Ｓ２０５を有する。
【００２８】
また、監視ユニット４は、図４に示すごとく、アダプタ２から送信される運転データを受信する運転データ受取り手段Ｓ４０２と、運転データを監視用コンピュータ３に送信する第２運転データ送信手段Ｓ４０３とを有する。
また、監視用コンピュータ３は、図３に示すごとく、監視ユニット４から送信される運転データを受信する第２運転データ受信手段Ｓ３０５を有する。
【００２９】
また、監視ユニット４は、図４に示すごとく、アダプタ２に接続されていない別の空調機７０に接続されている。そして、該空調機７０から送信されるアナログ信号及びデジタル信号からなる運転情報を採取する運転情報採取手段Ｓ４０４と、採取した運転情報を監視用コンピュータ３に送信する運転情報送信手段Ｓ４０５とを有する。
また、監視用コンピュータ３は、図３に示すごとく、監視ユニット４から送信される運転情報を受信する運転情報受信手段Ｓ３０６を有している。
この内容について、以下に詳しく説明する。
【００３０】
本例におけるアダプタ２は、図２に示すごとく、ＧＨＰ接続端子２１と回線端末接続端子２２とアダプタ中央演算処理部２３とアダプタ記憶装置２４とアダプタ無線電話端末２５とアダプタ小型アンテナ２６とユニット間接続端子２８と有線通信手段２９とアダプタ親子接続端子２３０と電源端子２４０とを有している。そして、アダプタ２及びアダプタ無線電話端末２５は一つの保護ケース２６０に収納されている。また、アダプタ無線電話端末２５に接続されたアダプタ小型アンテナ２６は保護ケース２６０の外部に配設されている。
【００３１】
また、アダプタ２には、複数のＧＨＰ２００の室外機２１０がＧＨＰ接続端子２１を介して接続されており、更に室外機２１０には、複数の室内機２２０が接続されている。
また、アダプタ２には、アダプタ親子接続端子２３０を介して複数のアダプタ子機２０が接続されており、該アダプタ子機２０には、更に複数の室外機２１０が接続されている。
また、アダプタ２は、回線端末接続端子２２及びアダプタ無線電話端末２５を介して監視用コンピュータ３と通信可能に構成されている。
【００３２】
無線電話回線５は、本例では、図１に示すごとく、ＮＴＴドコモ社のパケット通信サービス「ＤｏＰａ（商品名）」を利用し、ルータ５１、５３及び専用線（又はＩＳＤＮ）５２及び社内ＬＡＮ５４を介して監視用コンピュータ３に接続されている。
また、アダプタ２と監視ユニット３とは、図２、図４に示すごとく、それぞれユニット間接続端子２８、４８を介して有線通信手段２９により接続されている。
【００３３】
また、監視用コンピュータ３は、図３に示すごとく、中央演算処理部３１と記憶装置３２とＬＡＮ端末接続端子３３とを有している。そして、監視用コンピュータ３は、ルータ５１、５３及び専用線５２及び社内ＬＡＮ５４を介して無線電話回線５と接続されている。
【００３４】
また、監視ユニット４は、図４に示すごとく、アナログ入力端子４１とパルス／デジタル入力端子４２とユニット中央演算処理部４３とユニット記憶装置４４とユニット無線電話端末４５とユニット小型アンテナ４６とユニット間接続端子４８と主通信端子４９と人検知センサ６１と室温センサ６２とユニット親子接続端子４３０と電源端子４５０とを有する。そして、監視ユニット４及びユニット無線電話端末４５は一つの保護ケース４６０に収納されている。また、ユニット無線電話端末４５に接続されたユニット小型アンテナ４６は、保護ケース４６０の外部に配設されている。
【００３５】
また、監視ユニット４には、図４に示すごとく、複数の空調機７０がアナログ入力端子４１又はパルス／デジタル入力端子４２を介して接続されており、また、空調室外機７１０には、複数の空調室内機７２０が接続されている。アナログ入力端子４１には、例えば、１６個の端子を設けることができ、パルス／デジタル入力端子４２は、８個の端子を設けることができる。
【００３６】
また、図４に示すごとく、ユニット親子接続端子４３０には、監視ユニット子機７が接続されている。また、上記監視ユニット子機７には、複数の空調機７０の室外機７１０及び室内機７２０が接続されている。
この場合にも、上記監視ユニット子機７は、ユニット親子接続端子４３０と、アナログ入力端子４１と、パルス／デジタル入力端子４２と、アダプタ子機２０と接続することができるようユニット間接続端子４８とを有している。
また、監視ユニット４も、主通信端子４９及びユニット無線電話端末４５を介して監視用コンピュータ３と通信可能に構成されている。
【００３７】
上記ＧＨＰ遠隔監視システム１によって、ＧＨＰ２００を制御する際には、まず、図２に示すごとく、ＧＨＰ２００の室内機２２０に接続される室外機２１０から運転データ採取手段Ｓ２０１により運転データを採取する。該運転データは、アダプタ中央演算処理部２３に送信され、例えば、ガス消費量、室外機２１０の運転時間、設定温度等の演算に使用される。そして、上記運転データのうち一部の運転データ、及び上記運転データにより算出される演算データは、アダプタ記憶装置２４に記憶される。
【００３８】
次に、上記一部の運転データは、図２に示すごとく、アダプタ中央演算処理部２３より第１運転データ送信手段Ｓ２０２を経由してアダプタ無線電話端末２５に送信され、アダプタ小型アンテナ２６より無線電話回線５を介して監視用コンピュータ３に送信される。そして、図３に示すごとく、無線電話回線５から送信された上記運転データは、第１運転データ受信手段Ｓ３０１を経由して、中央演算処理部３１に送信される。
【００３９】
一方、上記運転データのうち、上記一部の運転データに含まれない他の運転データは、後述するように、アダプタ２の運転データ引渡し手段Ｓ２０５により有線通信手段２９を介して監視ユニット４へと送信される。即ち、上記運転データのすべてをアダプタ２に記憶させる必要がないため、アダプタ２のデータ記憶用メモリの容量の制限等を受けにくくすることができる。
【００４０】
また、図４に示すごとく、室内２２１に配設された人検知センサ６１及び室温センサ６２が検知した検知データは、監視ユニット４に送信される。該検知データは、ユニット中央演算処理部４３に送信され、例えば、室温等の演算に使用される。更に、上記検知データ及び上記検知データにより算出される演算データは、ユニット記憶装置４４に記憶される。
【００４１】
次に、上記検知データは、図４に示すごとく、ユニット中央演算処理部４３より検知データ引渡し手段Ｓ４０１を経由してユニット無線電話端末４５に送信され、ユニット小型アンテナ４６より無線電話回線５を介して監視用コンピュータ３に送信される。そして、図３に示すごとく、無線電話回線５から送信された上記検知データは、検知データ受取り手段Ｓ３０２を経由して、中央演算処理部３１に送信される。
【００４２】
また、図２に示すごとく、アダプタ２の運転データ引渡し手段Ｓ２０５により有線通信手段２９を介して監視ユニット４へ送信された上記他の運転データは、図４に示すごとく、運転データ受取り手段Ｓ４０２により受信される。更に、上記他の運転データは、ユニット中央演算処理部４３を経由して第２運転データ送信手段Ｓ４０３により監視用コンピュータ３へと送信される。
【００４３】
図３に示すごとく、中央演算処理部３１に送信された上記一部の運転データ、上記他の運転データ、及び上記検知データに基づいて指示データ作成手段Ｓ３０３により作成された室外機２１０及び室内機２２０への指示データは、指示データ送信手段Ｓ３０４を経由して、アダプタ２へと送信される。
そして、アダプタ２では、図２に示すごとく、指示データ受信手段Ｓ２０３により指示データを受信した後、該指示データを指示手段Ｓ２０４へと送信することにより、室外機２１０及び室内機２２０を制御することができる。アダプタ子機２０も、同様の手順により制御することができる。
【００４４】
また、図４に示すごとく、空調機７０より監視ユニット４に送信された運転情報は、運転情報採取手段Ｓ４０４により受信されて監視ユニット４に取り込まれる。そして、ユニット中央演算処理部４３を経由して運転情報送信手段Ｓ４０５によりユニット無線電話端末４５を介して監視用コンピュータ３に送信される。上記運転情報は、図３に示すごとく、監視用コンピュータ３の運転情報受信手段Ｓ３０６を経由して中央演算処理部３１、記憶装置３２へと送信される。以上により、空調機７０でも運転状況等の日報を作成することができる。
【００４５】
また、アダプタ２及び監視ユニット４には、外部制御機器としてのパソコンを接続するためのサービス端子を設けることもできる。この場合には、サービス端子に接続されたパソコンによってアダプタ２及び監視ユニット４の少なくとも一部の機能を実行できるよう構成しておくことが好ましい。
【００４６】
また、アダプタ２には、ＧＨＰに供給されるガス流量計に接続するためのガス流量計接続端子が設けられていてもよい。
また、アダプタ２及び監視ユニット４には、手動発呼スイッチと通信禁止スイッチとが設けられていてもよい。この場合には、保守作業が迅速かつ明確なものとすることができると共に、不用意な動作の発生を防止することができる。
また、監視用コンピュータ３における第２運転データ受信手段Ｓ３０５と第１運転データ受信手段Ｓ３０１とは、本例のように別々に設けてもよいし、兼用することも可能である。
【００４７】
本例のＧＨＰ遠隔監視システム１は、上記のごとく、アダプタ２と監視用コンピュータ３だけでなく、監視ユニット４を追加して構成してある。そして、監視ユニット４は人検知センサ６１及び室温センサ６２を備えている。これにより、例えば、アダプタと監視用コンピュータのみで構成されるＧＨＰ遠隔監視システムが存在している場合に、監視ユニット４を追加するだけで、上記の新たなセンシング機能を備えることができ、ＧＨＰ２００の制御精度の向上を図ることができる。また、新たにＧＨＰ遠隔監視システム１を導入する場合でも、アダプタ２としては従来と同様の比較的安価な簡易なものを採用して基本システムを組み、オプションとして本例のように監視ユニット４を組み込むことができる。そのため、必要に応じて、本例のシステムを採用することができ、非常に合理的である。
【００４８】
そして、監視ユニット４は、図１、図４に示すごとく、人検知センサ６１及び室温センサ６２を有する。監視ユニット４が人検知センサ６１を有する場合は、人検知センサ６１を配設した室内２２１に人がいるかいないかを検知することができる。この場合には、監視用コンピュータ３は、無線電話回線５を介して検知データ引渡し手段Ｓ４０１によって送られてきた検知データに基づいて、例えば、ＧＨＰ２００の起動若しくは停止、又は室内機２２０の設定温度の調整といった指示データを作成することができる。
【００４９】
また、室温センサ６２により、室内２２１の任意の場所において、測定した室温を室内機２２０の設定温度に反映させることができる。即ち、室温センサ６２によって検知した検知データを、検知データ引渡し手段Ｓ４０１により、監視ユニット４から監視用コンピュータ３に送信することができる。そのため、監視用コンピュータ３の指示データ作成手段Ｓ３０３実行時には、アダプタ２から受け取った運転データからだけではなく、検知データを考慮に入れて最適な指示データを作成することができる。
【００５０】
即ち、監視ユニット４が人検知センサ６１及び室温センサ６２を具備しているため、上記の最適な指示データをアダプタ２を介して受理した室外機２１０及びこれに接続された室内機２２０は、上記の最適な指示データに従った最適な運転制御及び温度制御を行うことができる。そのため、不必要な運転や室内２２１が充分に冷却されているにもかかわらず設定温度が低くなっている等の無駄なエネルギー消費を防ぐことができる。
それ故、ＧＨＰ２００の省エネルギー効率を向上させることができる。
【００５１】
また、上記のごとく、監視ユニット４に、人検知データ６１及び室温センサ６２を設けてあるので、アダプタ２に新たに人検知センサ６１及び室温センサ６２を設ける必要がない。即ち、仮に、既存のアダプタに新たに人検知センサ６１及び室温センサ６２を設ける場合には、手間とコストがかかってしまう。これに対して、上述のごとく、監視ユニット４に上記の２つのセンサ６１、６２を設けることにより、アダプタ２には、ＧＨＰ２００に対する機能として室外機２１０からのデータ収集と室外機２１０への指示データの伝達機能に専念させることができる。そのため、その構造をシンプルにすることができ、また、安価にＧＨＰ遠隔監視システム１を構築することができる。
【００５２】
また、監視用コンピュータ３における指示データ作成手段Ｓ３０３は、図３に示すごとく、第１運転データ受信手段Ｓ３０１によってアダプタ２から採取した運転データと、検知データ受取り手段Ｓ３０２によって監視ユニット４から採取した検知データとに基づいて指示データを作成する。それ故、実際の運転状況と指示した運転状況との相違点に基づいて上記指示データを適宜更新していくことができるため、快適な環境を創出することができる。
【００５３】
また、アダプタ２及び監視ユニット４は、いずれも無線電話回線５を介して監視用コンピュータ３と通信可能となっている。そのため、アダプタ２及び監視ユニット４には、有線の電話回線を接続する必要がなく、ＧＨＰ遠隔監視システム１の設置コストを低減することができる。
【００５４】
アダプタ２と監視ユニット４とは、図１、図２、図４に示すごとく、有線通信手段２９を介して接続されており、アダプタ２は運転データ引渡し手段Ｓ２０５を有し、監視ユニット４は運転データ受取り手段Ｓ４０２を有している。そのため、運転データを、アダプタ２から監視ユニット４へと容易に送信することができる。また、監視ユニット４は第２運転データ送信手段Ｓ４０３を有し、監視用コンピュータ３は第２運転データ受信手段Ｓ３０５を有しているため、監視用コンピュータ３に最新の運転データを迅速に送信することができる。そのため、例えば、アダプタ２内のデータ記憶用メモリの容量の制限等によって、アダプタ２の運転データ採取手段Ｓ２０１のみでは運転データの種類、採取頻度等が不足する場合に、その不足状態を監視ユニット４の存在によって解消することができる。
それ故、ＧＨＰ２００の運転状況を容易かつ迅速に把握することができるため、ＧＨＰ２００の制御精度の向上を図ることができる。
【００５５】
また、監視ユニット４は、図１、図４に示すごとく、空調機７０に接続されており、該空調機７０から送信される運転情報を監視用コンピュータ３に送信することができる。それ故、アダプタ２に接続されていないＧＨＰだけではなく、アナログ信号及びデジタル信号のいずれか一方の信号を発信することができる別の空調機についても、監視ユニット４を介して運転情報を入手することができる。そして、運転情報送信手段Ｓ４０５を介して、運転情報を監視ユニット４から監視用コンピュータ３へと送信することができる。即ち、ＧＨＰ２００に限定されることなく種々の空調機をも監視することができ、空調システム全体の省エネルギー効率をも向上させることができる。
【００５６】
以上のごとく、本例によれば、既存の無線電話機能つきのアダプタを有効に利用することができ、省エネルギー効率に優れると共に、更に快適な環境を創出することができ、かつ安価なＧＨＰ遠隔監視システムを提供することができる。
【００５７】
（実施例２）
本例は、図５に示すごとく、上記実施例１のＧＨＰ遠隔監視システム１より得られた運転データ等に基づいてＧＨＰ２００及び空調機７０の運転状況の日報を作成した例である。
尚、本例では、アダプタ２の運転データ、監視ユニット４の運転情報等の収集間隔を３０分として設定した。また、データ記憶量を最大で１２０とし、その後は最も古いデータを廃棄すると共に新しいデータを記憶するように構成した。
【００５８】
上記日報は、図５に示すごとく、送信順序が新しい順に運転状況が配列されている。そして、左からデータを取得した時刻の範囲、データ取得日時、アナログ情報、デジタル情報、室外機２１０の運転時間、室内機２００の情報等が示されている。
【００５９】
即ち、上記ＧＨＰ遠隔監視システム１により必要な運転状況等の日報を容易に作成することができると共に、使用したい運転状況を選択し上記日報に基づいてその後の運転状況に反映させることができる。
尚、図５に示した運転状況は一例であり、上記ＧＨＰ遠隔監視システム１により得られる日報は本構成に限られるものではない。
【図面の簡単な説明】
【００６０】
【図１】実施例１における、ＧＨＰ遠隔監視システムの構成を示す説明図。
【図２】実施例１における、アダプタの構成を示す説明図。
【図３】実施例１における、監視用コンピュータの構成を示す説明図。
【図４】実施例１における、監視ユニットの構成を示す説明図。
【図５】実施例２における、運転状況の日報を示す説明図。
【図６】従来例における、ＧＨＰ遠隔監視装置の構成を示す説明図。
【符号の説明】
【００６１】
１  ＧＨＰ遠隔監視システム
２  アダプタ
２１０  室外機
２２０  室内機
３  監視用コンピュータ
４  監視ユニット
６１  人検知センサ
６２  室温センサ
Ｓ２０１  運転データ採取手段
Ｓ２０２  第１運転データ送信手段
Ｓ２０３  指示データ受信手段
Ｓ２０４  指示手段
Ｓ３０１  第１運転データ受信手段
Ｓ３０２  検知データ受取り手段
Ｓ３０３  指示データ作成手段
Ｓ３０４  指示データ送信手段
Ｓ４０１  検知データ引渡し手段
【図１】
2006336903.tif 000003
【図２】
2006336903.tif 000004
【図３】
2006336903.tif 000005
【図４】
2006336903.tif 000006
【図５】
2006336903.tif 000007
【図６】
2006336903.tif 000008